(57)【要約】  本発明は、多量の特定界面活性剤混合物及び水を含む組成物、並びにその製造方法に関する。【特許請求の範囲】
【請求項１】
組成物であって、
(i)組成物の全重量に基づいて50-95重量％の、
(ia)アルキルエーテルサルフェート及び/又はその塩、及び
(ib)アニオン性及び/又は両性の界面活性剤である、少なくとも一つの追加的界面活性剤、及び
(ic)一つもしくは複数の任意の非イオン性界面活性剤、並びに、
(ii)組成物の全重量に基づいて5-50重量％の水
を含み、(ia)の前記アルキルエーテルサルフェート及び/又はその塩及び (ib)の前記アニオン性界面活性剤が同一の界面活性剤でない組成物。
【請求項２】
50-90重量％、好ましくは60-95重量％、さらに好ましくは60-95重量％、最も好ましくは60-85重量％の(i)を含む、請求項１に記載の組成物。
【請求項３】
(ia)：[(ib)＋(ic)]の比率が、1：2乃至40：1、好ましくは1：1乃至30：1である、請求項１又は２に記載の組成物。
【請求項４】
10重量％以下の(ic)を含む、請求項１乃至３のいずれか一項に記載の組成物。
【請求項５】
pHが5以上である、請求項１乃至４のいずれか一項に記載の組成物。
【請求項６】
付加的保存料を含まない、請求項１乃至５のいずれか一項に記載の組成物。
【請求項７】
真珠光沢剤及び/又は乳白剤を含まない、請求項１乃至６のいずれか一項に記載の組成物。
【請求項８】
(ia)が式(I)：
RO-(CH2CH2O)xSO3M                    (I)
[式中、
Rは、8乃至24の炭素原子のアルキルもしくはアルケニル基であり、
xは、1ないし10の値の整数であり、さらに
Mは、アンモニウム、アルカノールアミン類、例えばトリエタノールアミン、一価の金属類、例えばナトリウム及びカリウム、並びに多価金属、例えばマグネシウム及びカルシウムのカチオン類である]
のアルキルエーテルサルフェート塩である、請求項１乃至７のいずれか一項に記載の組成物。
【請求項９】
(ia)が、ココナッツアルキルトリエチレングリコールエーテルサルフェート、タロウアルキルジエチレングリコールエーテルサルフェート、タロウアルキルトリエチレングリコールエーテルサルフェート、及びタロウアルキルヘキサエチレンサルフェートのナトリウム塩及びアンモニウム塩からなる群より選択される、請求項８に記載の組成物。
【請求項１０】
(ia)が、ナトリウムラウレスサルフェートである、請求項９に記載の組成物。
【請求項１１】
(ib)が、
アルキルエーテルサルフェート、アルキルサルフェート類、エトキシル化アルキルサルフェート類、アルキルエトキシカルボキシレート類、メチルアシルタウレート類、脂肪アシルグリシネート類、N-アシルグルタメート類、アシルイセチオネート類、アルキルスルホスクシネート類、アルキルエトキシスルホスクシネート類、アルファスルホン化脂肪酸類、アルファスルホン化脂肪酸類のエステル類、アルキルホスフェートエステル類、エトキシル化アルキルホスフェートエステル類、アシルサルコシネート類、アシルアスパルテート類、アルコキシコカミドカルボキシレート類、（エトキシル化）アルカノールアミドスルホスクシネート類、エトキシル化アルキルシトレートスルホスクシネート類、アシルエチレンジアミントリアセテート類、アシルヒドロキシエチルイセチオネート類、アシルアミドアルコキシサルフェート類、直鎖状アルキルベンゼンスルホネート類、パラフィンスルホネート類、アルファオレフィンスルホネート類、脂肪酸/蛋白質縮合物類、これらの塩類、石鹸類、例えばラウリン酸、ミリスチン酸、及びパルミチン酸のアンモニウム、マグネシウム、カリウム、トリエタノールアミン、及びナトリウムの塩類、及びこれらの混合物からなる群より選択されるアニオン性界面活性剤、及び/又は
脂肪族第四級アンモニウム、ホスホニウム、もしくはスルホニウム化合物の誘導体であって、前記脂肪族基が直鎖もしくは分枝状鎖であってよく、一つの脂肪族置換基が8乃至18の炭素原子を含み、同一もしくは相違する脂肪族置換基がアニオン性基、例えばカルボキシ、スルホネート、サルフェート、ホスフェート、もしくはホスホネート基を含む、両性界面活性剤
である、請求項１乃至１０のいずれか一項に記載の組成物。
【請求項１２】
(ib)が、コカミドプロピルベタインである、請求項１１に記載の組成物。
【請求項１３】
(ic)が、アルキルポリ(エチレンオキサイド)アルキルポリグルコシド類、例えばオクチルグルコシド及びデシルマルトシド、脂肪アルコール類、例えばセチルアルコール及びオレイルアルコール、コカミドMEA、コカミドDEA、並びにコカミドTEAからなる群より選択される非イオン性界面活性剤である、請求項１乃至１２に記載の組成物。
【請求項１４】
少なくとも一つの追加的添加剤を含む、請求項１乃至１３のいずれか一項に記載の組成物。
【請求項１５】
液晶ラメラ相またはラメラゲル相を形成する、請求項１乃至１４のいずれか一項に記載の組成物。
【請求項１６】
(c)  アルキルエーテルサルフェートもしくはその塩を、混合物の全重量に基づいて35重量％以下の水との混合物の形態で準備する工程、
(d)  前記混合物に、実質的に無水形態のアニオン性及び/又は両性の界面活性剤並びに実質的に無水形態の一つもしくは複数の任意の非イオン性界面活性剤からなる群より選択される少なくとも一つの追加的界面活性剤を加え、且つ混合して、組成物を生成させる工程
を含む、請求項１乃至１５に記載の組成物の製造方法。
【請求項１７】
アルキルエーテルサルフェートもしくはその塩と水との混合物が、混合物の全重量に基づいて30重量%以下、好ましくは25重量%以下、更に好ましくは20重量%以下の水を含む、請求項１６に記載の組成物の製造方法。
【請求項１８】
アルキルエーテルサルフェートもしくはその塩が、前記方法全般において液晶ラメラ相またはラメラゲル相中に維持される、請求項１６または１７に記載の組成物の製造方法。
【請求項１９】
(a)   請求項１乃至１５のいずれか一項に記載の組成物を準備する工程、その後
(b)   前記組成物を、高剪断インラインミキサーを用いて水で希釈することによりパーソナルケア組成物を得る工程、
を含む、パーソナルケア組成物の製造方法。
【請求項２０】
前記パーソナルケア組成物が、ボディ洗浄剤またはシャンプーである、パーソナルケア組成物の製造方法。
【発明の詳細な説明】
【技術分野】
【０００１】
本発明は、多量の特定界面活性剤混合物及び水を含む組成物、並びにその製造方法に関する。
【背景技術】
【０００２】
界面活性剤並びに界面活性剤の混合物を含む高濃度製剤は、通常、輸送コストの低減並びに貯蔵容量の低減のために提供される。通常、一般的に知られる濃縮物には、（通常は水である）溶媒を除き、例えばパーソナルケア組成物の製造のための全ての必須の成分が含まれる。
【０００３】
本発明の目的は、安定であり、ベース組成物（骨組組成物）としての役割を果たすことができ、取扱が適度に容易であり、且つ二つの界面活性剤と水とを含むのみである、非常に高濃度の界面活性剤組成物を提供することである。
【０００４】
FR2826017A1には、アルキル及び／又はアルケニルオリゴグリコシド、ベタイン、並びにアルキルエーテルサルフェートを含む、界面活性剤の混合物が開示されている。
【０００５】
EP1225214A2には、泡立ちが良く、粘液性でなく、N-アシルメチルタウレートのアルカリ金属タウレート塩もしくは有機アルカリタウレート塩、N-アシルタウリン、アルキル硫酸エステル、アルキルエーテル硫酸エステル、またはアルキルスルホン酸を含む、洗浄剤組成物が開示されている。
【０００６】
DE19944544A1には、アルキルオリゴグリコシド及びアルキル-及び/又はアルケニルエーテルサルフェートを含む、界面活性剤混合物が開示されている。
【０００７】
FR2398797A1には、水性の系中における使用のための、様々な界面活性剤の混合物を含む、高濃度水性界面活性剤組成物が開示されている。
【０００８】
WO99/09944A1には、脂肪酸ポリグリコールエステルサルフェート、乳化剤、真珠光沢ワックス、及びポリオールを含む、水性真珠光沢分散物が開示されている。
【０００９】
DE19641280A1には、モノグリセリド（エーテル）サルフェート、乳化剤、及びポリオールを含む、水系真珠光沢分散物が開示されている。
【００１０】
EP0922754A1には、脂肪酸、アルキルエーテルサルフェート、及びアシルイセチオネート、及び水を含む、真珠光沢組成物が開示されている。
【００１１】
DE19646882A1には、選択的界面活性乳化剤及び真珠光沢ワックスに基づく、水性ポリオール遊離真珠光沢濃縮物が開示されている。
【先行技術文献】
【特許文献】
【００１２】
【特許文献１】FR2826017A1
【特許文献２】EP1225214A2
【特許文献３】DE19944544A1
【特許文献４】FR2398797A1
【特許文献５】WO99/09944A1
【特許文献６】DE19641280A1
【特許文献７】EP0922754A1
【特許文献８】DE19646882A1
【発明の概要】
【課題を解決するための手段】
【００１３】
本発明は、組成物であって、
(i)組成物の全重量に基づいて50-95重量％の、
(ia)アルキルエーテルサルフェート及び/又はその塩、及び
(ib)アニオン性及び/又は両性の界面活性剤である、少なくとも一つの追加的界面活性剤、及び
(ic)一つもしくは複数の任意の非イオン性界面活性剤、並びに、
(ii)組成物の全重量に基づいて5-50重量％の水
を含み、(ia)の前記アルキルエーテルサルフェート及び/又はその塩及び (ib)の前記アニオン性界面活性剤が同一の界面活性剤でない組成物に関する。
【発明を実施するための形態】
【００１４】
好ましい組成物は、50-90重量％、好ましくは60-95重量％、さらに好ましくは60-95重量％、最も好ましくは60-85重量％の(i)を含む。その結果、好ましい組成物は、組成物の全重量に基づいて10-50重量％、好ましくは5-40重量％、更に好ましくは10-40重量％、最も好ましくは15-40重量％の水を含む。
【００１５】
本発明の別の実施態様は、(ia)：[(ib)＋(ic)]の比率が、1：2乃至40：1、好ましくは1：1乃至30：1である組成物である。
【００１６】
好ましい組成物は、組成物の全重量に基づいて10重量％以下の非イオン性界面活性剤を含む。
【００１７】
本発明による組成物は、更なる添加剤を一切使用せずに、優れた安定性並びに優れた取扱特性を示すという利点を有する。更なる添加剤（例えば、保存料等）を含む必要が全くないため、これには幅広い分野への興味深い応用及び使用が開ける。例えば、使用者は、保存料（または別の成分）を加えるか否かを選択することができる。その使用としては、工業的並びに個人の家庭用が可能である。
【００１８】
本発明による組成物は、パーソナルケア組成物のためのベース組成物として好ましく使用される。好ましいパーソナルケア組成物は、（例えばシャワー用もしくは浴用の）ボディウォッシュ及び／又はシャンプーである。
【００１９】
本発明による組成物は、好ましくは5以上、好ましくは5.5以上のpHを有する。
【００２０】
本発明による組成物は、添加される保存料を含まないことが好ましく、然るにこの組成物は、市販の界面活性剤中に見いだすことができ、且つ完全には除去することのできない微量の保存料は含んで良い。この組成物中の保存料の量は、通常は組成物の0.1重量％未満である。
【００２１】
保存料なる語は、微生物成長もしくは望ましからぬ化学的変化のいずれに起因するかによらない損傷を遅延させるために製品に添加される、天然もしくは合成の化学物質と理解される。細菌及び真菌の成長を阻害することによって機能する抗菌性保存料と、食品成分の酸化を阻害する酸素吸収剤等の抗酸化剤とは、区別される場合がある。一般的な抗菌性保存料には、硝酸ナトリウム、亜硝酸ナトリウム、亜硝酸塩類（二酸化硫黄、重亜硫酸ナトリウム、硫酸水素カリウム、等）、及び二ナトリウムEDTAが含まれる。抗酸化剤には、BHA及びBHTが含まれる。別の保存料には、ホルムアルデヒド（通常は溶液として）、グルタルアルデヒド、珪藻土（殺虫性）、エタノール、ジメチルジカルボネート、及びメチルクロロイソチアゾリノンが含まれる。更なる保存料には、2-ブロモ-2-ニトロプロパン-1,3-ジオール、フェノキシエタノールクエン酸、酒石酸、リン酸、イミノ二酢酸、ニトリロ三酢酸、ヒドロキシエチレンアミノ二酢酸、及びエチレンジアミンテトラ酢酸、並びにこれらの塩；パラ-ヒドロキシベンゾエート類、例えばブチルパラベン、メチルパラベン、及びプロピルパラベン；イミダゾリン類（例えばイミダゾリニルウレア）、トリクロサン、ヒダントイン類（例えばジメチロールジメチルヒダントイン）、イソチアゾリジノン化合物類；並びにこれらの混合物が含まれる。市販の保存料には、Kathon(登録商標)CG、Kathon(登録商標)CGII、及びMyacide(登録商標)が含まれる。
【００２２】
本発明の更に好ましい実施態様は、真珠光沢剤及び/又は乳白剤を含まない組成物に関する。真珠光沢剤又は乳白剤の例には、以下に限定されるものではないが、（a）16乃至22の炭素原子を有する脂肪酸と（b）エチレンもしくはプロピレングリコールとのモノ-もしくはジ-エステル；（a）16乃至22の炭素原子を有する脂肪酸と（b）式HO-(JO)a-H（式中、Jは2乃至3の炭素原子を有するアルキレン基であり、aは2もしくは3である）のポリアルキレングリコールと16乃至22の炭素原子を含む脂肪アルコールとのモノ-もしくはジ-エステル；式KCOOCH2L（式中、K及びLは個別に15乃至21の炭素原子を含む）の脂肪エステル；組成物中に不溶性である無機固体；並びにこれらの混合物が含まれる。
【００２３】
本発明による組成物は、アルキルエーテルスルフェート類またはその塩を常に含む。好ましいアルキルエーテルスルフェート塩は、式：
RO-(CH2CH2O)xSO3M
[式中、
Rは、8乃至24の炭素原子のアルキルもしくはアルケニル基であり、
xは、1ないし10の値の整数であり、さらに
Mは、アンモニウム、アルカノールアミン類、例えばトリエタノールアミン、一価の金属類、例えばナトリウム及びカリウム、並びに多価金属、例えばマグネシウム及びカルシウムのカチオン類である]
のものである。
【００２４】
好ましくは、Rは8乃至18の炭素原子、更に好ましくは10乃至16の炭素原子、更にいっそう好ましくは12乃至14の炭素原子を有する。アルキルエーテルスルフェート塩は、典型的にはエチレンオキサイドと8乃至24の炭素原子を有する一価アルコール類との縮合生成物として製造される。アルコール類は合成であって良く、または脂肪、例えばココナッツオイル、パームカーネルオイル、及びタロウ由来のものであってよい。ココナッツまたはパームカーネルオイル由来の、ラウリルアルコール及び別の直鎖アルコール類が好ましい。こうしたアルコール類を、0乃至10、好ましくは1乃至5、更に好ましくは2乃至3のモル部分のエチレンオキサイドと反応させて得られる、アルコール1モルについて平均3モルのエチレンオキサイドを有する分子種の混合物は、硫酸化され、中和される。
【００２５】
本発明の組成物中に使用して良いアルキルエーテルサルフェート塩の特定の非限定的例には、ココナッツアルキルトリエチレングリコールエーテルサルフェート、タロウアルキルジエチレングリコールエーテルサルフェート、タロウアルキルトリエチレングリコールエーテルサルフェート、及びタロウアルキルヘキサエチレンサルフェートのナトリウム塩及びアンモニウム塩が含まれる。好ましいアルキルエーテルサルフェート塩は、ナトリウムラウレスサルフェートである。  
【００２６】
成分（ib）として、少なくとも一つのアニオン性界面活性剤及び／又は少なくとも一つの両性界面活性剤が存在する。アニオン性界面活性剤は、アルキルエーテルサルフェート、アルキルサルフェート類、エトキシル化アルキルサルフェート類、アルキルエトキシカルボキシレート類、メチルアシルタウレート類、脂肪アシルグリシネート類、N-アシルグルタメート類、アシルイセチオネート類、アルキルスルホスクシネート類、アルキルエトキシスルホスクシネート類、アルファスルホン化脂肪酸類、アルファスルホン化脂肪酸類のエステル類、アルキルホスフェートエステル類、エトキシル化アルキルホスフェートエステル類、アシルサルコシネート類、アシルアスパルテート類、アルコキシコカミドカルボキシレート類、（エトキシル化）アルカノールアミドスルホスクシネート類、エトキシル化アルキルシトレートスルホスクシネート類、アシルエチレンジアミントリアセテート類、アシルヒドロキシエチルイセチオネート類、アシルアミドアルコキシサルフェート類、直鎖状アルキルベンゼンスルホネート類、パラフィンスルホネート類、アルファオレフィンスルホネート類、脂肪酸/蛋白質縮合物類、これらの塩類、石鹸類、例えばラウリン酸、ミリスチン酸、及びパルミチン酸のアンモニウム、マグネシウム、カリウム、トリエタノールアミン、及びナトリウムの塩類、及びこれらの混合物からなる群より選択してよい。これら界面活性剤のアルキル及び／又はアシル鎖長は、C6-C22、好ましくはC12-C18、更に好ましくはC12-C14である。
【００２７】
前記組成物中における使用に好適な両性界面活性剤は当業者にはよく知られ、脂肪族第四級アンモニウム、ホスホニウム、もしくはスルホニウム化合物の誘導体であって、前記脂肪族基が直鎖もしくは分枝状鎖であってよく、一つの脂肪族置換基が8乃至18の炭素原子を含み、同一もしくは相違する脂肪族置換基がアニオン性基、例えばカルボキシ、スルホネート、サルフェート、ホスフェート、もしくはホスホネート基を含むものとして広範に記載される界面活性剤を含む。双性イオン性のもの、例えばベタイン類が好ましい、特に好ましいベタインは、コカミドプロピルベタインである。
【００２８】
成分（ic）としての非イオン性界面活性剤は、あらゆる従来既知の非イオン性界面活性剤、例えばアルキルポリ（エチレンオキサイド）アルキルポリグルコシド類（例えばオクチルグルコシド及びデシルマルトシド）、脂肪アルコール類（例えばセチルアルコール及びオレイルアルコール）、コカミドMEA、コカミドDEA、並びにコカミドTEAから選択することができる。
【００２９】
本発明による組成物は、パーソナルケア組成物中に使用して良い。好ましくは、パーソナルケア組成物は、（例えばシャワー用もしくは浴用の）ボディ洗浄剤またはシャンプーである。このパーソナルケア組成物は、希釈及び任意の追加的成分の添加によって製造される。追加的成分（添加剤）がパーソナルケア組成物に必要な場合は、これらを希釈処理の前及び／又は途中及び／又は後に添加することもできる。本発明による組成物は、一つもしくは複数の添加剤を含むことができる。こうした添加剤は、カチオン性ポリマー、粒子、コンディショニング剤（炭化水素油、脂肪エステル、シリコーン）、フケ防止剤、懸濁剤、粘度調整剤、染料、不揮発性溶媒もしくは希釈剤（水溶性及び水不溶性）、真珠光沢助剤、起泡助剤、付加的な界面活性剤もしくは非イオン性共界面活性剤、シラミ駆除剤（pediculocides）、pH調節剤、香料、保存料、キレート剤、蛋白質、皮膚活性剤、サンスクリーン、UV吸収剤、及びビタミンを含んで良い。本発明による組成物がこれら成分の少なくとも一つを含む場合には、その量は、組成物の全重量に基づいて1乃至20の範囲内である。その量は希釈の程度に依存する。
【００３０】
好ましくは、本発明による組成物は、半透明である。
【００３１】
取扱（例えば容器からの取り出しまたはパイプからのポンプ送出）を容易にするため、上述の組成物が、液晶ラメラ相及び／又はラメラゲル相を形成し、然るに六方相にならないように処方されることが重要である。
【００３２】
本発明の別の態様では、本発明による組成物の製造方法が提供され、この方法には、
(a)  アルキルエーテルサルフェートもしくはその塩を、混合物の全重量に基づいて35重量％以下の水との混合物の形態で準備する工程、
(b)  前記混合物に、実質的に無水形態のアニオン性及び/又は両性の界面活性剤並びに実質的に無水形態の一つもしくは複数の任意の非イオン性界面活性剤からなる群より選択される少なくとも一つの追加的界面活性剤を加え、且つ混合して、組成物を生成させる工程、
が含まれる。
【００３３】
実質的に無水とは、界面活性剤の重量に基づいて、水が10重量％未満、好ましくは5重量％未満、更に好ましくは1重量％未満、最も好ましくは0.1重量％未満であることを意味する。
【００３４】
本発明の組成物をこの方法で製造することにより、アルキルエーテルスルフェートまたはその塩は、処理の間中液晶ラメラ相もしくはラメラゲル相中に維持される。この利点は、組成物の粘度が、この組成物の取扱及び処理がより容易であるレベルに、常に維持されることである。水のパーセンテージ量を、例えばアニオン性及び／又は両性の界面活性剤、あるいは一つもしくは複数の任意の非イオン性界面活性剤の水性溶液の添加によって増加させて良いとすると、この組成物は六方相に入ることになるが、これは前記組成物の取扱及び処理が格段に困難となる、著しく高い粘度を有するようになることが観察されている。様々な相は、光学顕微鏡を用いて確認しうる。
【００３５】
好ましくは、アルキルエーテルスルフェートまたはその塩と水との混合物は、この混合物の全重量に基づいて30重量％以下、好ましくは25重量％以下、更に好ましくは20重量％以下の水を含む。
【００３６】
本発明の別の態様では、
(a)本発明による組成物を準備する工程、次いで
(b)前記組成物を、高剪断インラインミキサーを使用して水で希釈し、これによってパーソナルケア組成物を達成する工程
を含むパーソナルケア組成物の製造方法が提供される。
【００３７】
好ましくは、パーソナルケア組成物は、ボディ洗浄剤またはシャンプーである。
【００３８】
高剪断インラインミキサーが、本発明の組成物からのパーソナルケア組成物の調製に必要とされるが、これは前記組成物を水で希釈する際に、この組成物が低粘度のミセル相に入る前に高粘度の六方相を通ることになるためである。
【図面の簡単な説明】
【００３９】
【図１】本発明は、本発明の組成物を水で希釈することによるパーソナルケア組成物の生成の略図である。
【００４０】
以下の非限定的実施例を参照しつつ、本発明をここに更に説明する。特記のない限り、パーセンテージは全て重量％であり、温度は摂氏で表示される。
【実施例１】
【００４１】
（実施例１−７：組成物）
以下の組成物を、両性界面活性剤を混合物に導入するために高剪断混合方法を利用して製造した。CMEAを含むものなどの幾つかの処方については、混合物を60℃に加熱し、その後高剪断混合にかける。これらの混合物が均一化された後、これらを剪断にかけつつ室温に冷却し、その後容器に移す。
【００４２】
【表１】
2010511761.tif 000002
【００４３】
（実施例８−９：パーソナルケア組成物）
以下のシャワーゲルを、シャワーゲル中に存在する様々な別の成分を、液体成分流に補うことによって製造した。幾つかの場合には、液体流は純水であってもよい。これらの成分流及び本発明による組成物は、その後、高剪断インライン混合処理（ソノレーターまたはSilversonミキサー）を利用して互いに混合し、均一なシャワーゲルを達成する。希釈処理の間に生成する高度に粘性の六方相を、高剪断インラインを使用して扱うことが重要である。六方相の均一化を、従来の混合処理で扱うことは困難である。液流を含む様々な液体を本発明の組成物に混合することによって製品が調製されるこの処理によれば、この製品に加えられた個別の成分流の濃度及び数を調製することによって、シャワーゲルをカスタマイズもしくはパーソナライズさせることも可能である。希釈処理の略図は、図１に示される。
【００４４】
【表２】
2010511761.tif 000003
【００４５】
【表３】
2010511761.tif 000004
【図１】
2010511761.tif 000005
【手続補正書】
【提出日】平成20年9月19日(2008.9.19)
【手続補正１】
【補正対象書類名】特許請求の範囲
【補正対象項目名】全文
【補正方法】変更
【補正の内容】
【特許請求の範囲】
【請求項１】
組成物の製造方法であって、前記組成物が、
(i)組成物の全重量に基づいて50-95重量％の、
(ia)アルキルエーテルサルフェート及び/又はその塩、及び
(ib)アニオン性及び/又は両性の界面活性剤である、少なくとも一つの追加的界面活性剤、及び
(ic)一つもしくは複数の任意の非イオン性界面活性剤、並びに、
(ii)組成物の全重量に基づいて5-50重量％の水
を含み、(ia)の前記アルキルエーテルサルフェート及び/又はその塩及び (ib)の前記アニオン性界面活性剤が同一の界面活性剤でなく、
(a)アルキルエーテルサルフェートもしくはその塩を、混合物の全重量に基づいて35重量％以下の水との混合物の形態で準備する工程、これに次ぐ、
(b)前記混合物に、実質的に無水形態のアニオン性及び/又は両性の界面活性剤並びに実質的に無水形態の一つもしくは複数の任意の非イオン性界面活性剤からなる群より選択される少なくとも一つの追加的界面活性剤を加え、且つ混合して、組成物を生成させる工程、
を含み、
前記アルキルエーテルサルフェートもしくはその塩が、この方法の全過程に亘って液晶ラメラ相またはラメラゲル相中に維持される、方法。
【請求項２】
前記組成物が、50-90重量％、好ましくは60-95重量％、さらに好ましくは60-95重量％、最も好ましくは60-85重量％の(i)を含む、請求項１に記載の組成物の製造方法。
【請求項３】
(ia)：[(ib)＋(ic)]の比率が、1：2乃至40：1、好ましくは1：1乃至30：1である、請求項１又は２に記載の組成物の製造方法。
【請求項４】
前記組成物が、10重量％以下の(ic)を含む、請求項１乃至３のいずれか一項に記載の組成物の製造方法。
【請求項５】
前記組成物が、5以上のpHを有する、請求項１乃至４のいずれか一項に記載の組成物の製造方法。
【請求項６】
前記組成物が、付加された保存料を含まない、請求項１乃至５のいずれか一項に記載の組成物の製造方法。
【請求項７】
前記組成物が、真珠光沢剤及び/又は乳白剤を含まない、請求項１乃至６のいずれか一項に記載の組成物の製造方法。
【請求項８】
(ia)が式(I)：
RO-(CH2CH2O)xSO3M                    (I)
[式中、
Rは、8乃至24の炭素原子のアルキルもしくはアルケニル基であり、
xは、1ないし10の値の整数であり、さらに
Mは、アンモニウム、アルカノールアミン類、例えばトリエタノールアミン、一価の金属類、例えばナトリウム及びカリウム、並びに多価金属、例えばマグネシウム及びカルシウムのカチオン類である]
のアルキルエーテルサルフェート塩である、請求項１乃至７のいずれか一項に記載の組成物の製造方法。
【請求項９】
(ia)が、ココナッツアルキルトリエチレングリコールエーテルサルフェート、タロウアルキルジエチレングリコールエーテルサルフェート、タロウアルキルトリエチレングリコールエーテルサルフェート、及びタロウアルキルヘキサエチレンサルフェートのナトリウム塩及びアンモニウム塩からなる群より選択される、請求項８に記載の組成物の製造方法。
【請求項１０】
(ia)が、ナトリウムラウレスサルフェートである、請求項９に記載の組成物の製造方法。
【請求項１１】
(ib)が、
アルキルエーテルサルフェート、アルキルサルフェート類、エトキシル化アルキルサルフェート類、アルキルエトキシカルボキシレート類、メチルアシルタウレート類、脂肪アシルグリシネート類、N-アシルグルタメート類、アシルイセチオネート類、アルキルスルホスクシネート類、アルキルエトキシスルホスクシネート類、アルファスルホン化脂肪酸類、アルファスルホン化脂肪酸類のエステル類、アルキルホスフェートエステル類、エトキシル化アルキルホスフェートエステル類、アシルサルコシネート類、アシルアスパルテート類、アルコキシコカミドカルボキシレート類、（エトキシル化）アルカノールアミドスルホスクシネート類、エトキシル化アルキルシトレートスルホスクシネート類、アシルエチレンジアミントリアセテート類、アシルヒドロキシエチルイセチオネート類、アシルアミドアルコキシサルフェート類、直鎖状アルキルベンゼンスルホネート類、パラフィンスルホネート類、アルファオレフィンスルホネート類、脂肪酸/蛋白質縮合物類、これらの塩類、石鹸類、例えばラウリン酸、ミリスチン酸、及びパルミチン酸のアンモニウム、マグネシウム、カリウム、トリエタノールアミン、及びナトリウムの塩類、及びこれらの混合物からなる群より選択されるアニオン性界面活性剤、及び/又は
脂肪族第四級アンモニウム、ホスホニウム、もしくはスルホニウム化合物の誘導体であって、前記脂肪族基が直鎖もしくは分枝状鎖であってよく、一つの脂肪族置換基が8乃至18の炭素原子を含み、同一もしくは相違する脂肪族置換基がアニオン性基、例えばカルボキシ、スルホネート、サルフェート、ホスフェート、もしくはホスホネート基を含む、両性界面活性剤
である、請求項１乃至１０のいずれか一項に記載の組成物の製造方法。
【請求項１２】
(ib)が、コカミドプロピルベタインである、請求項１１に記載の組成物の製造方法。
【請求項１３】
(ic)が、アルキルポリ(エチレンオキサイド)アルキルポリグルコシド類、例えばオクチルグルコシド及びデシルマルトシド、脂肪アルコール類、例えばセチルアルコール及びオレイルアルコール、コカミドMEA、コカミドDEA、並びにコカミドTEAからなる群より選択される非イオン性界面活性剤である、請求項１乃至１２に記載の組成物の製造方法。
【請求項１４】
前記組成物が、少なくとも一つの追加的添加剤を含む、請求項１乃至１３のいずれか一項に記載の組成物の製造方法。
【請求項１５】
アルキルエーテルサルフェートもしくはその塩と水との混合物が、混合物の全重量に基づいて30重量%以下、好ましくは25重量%以下、更に好ましくは20重量%以下の水を含む、請求項１乃至１４のいずれか一項に記載の組成物の製造方法。
【請求項１６】
(a) 請求項１乃至１５のいずれか一項に記載の組成物を準備する工程、その後
(b) 前記組成物を、高剪断インラインミキサーを用いて水で希釈することによりパーソナルケア組成物を得る工程、
を含む、パーソナルケア組成物の製造方法。
【請求項１７】
前記パーソナルケア組成物が、ボディ洗浄剤またはシャンプーである、請求項１６に記載のパーソナルケア組成物の製造方法。
【国際調査報告】
2010511761.tif 000006
2010511761.tif 000007
2010511761.tif 000008